(57)【特許請求の範囲】
【請求項１】
主剤を主剤用のショットポンプに、硬化剤を硬化剤用のショットポンプに各々充填し、駆動モータにより前記各ショットポンプを駆動させて所定の割合で主剤と硬化剤とを押出して混合機により混合させた後、この混合剤を吐出させる可変速型二液計量混合制御方法において、
前記主剤用のショットポンプの側面下部側に主剤の充填供給口を設けるとともに上部側に主剤の吐出口を設け、前記硬化剤用のショットポンプの側面下部側に硬化剤の充填供給口を設けるとともに上部側に硬化剤の吐出口を設け、前記各ショットポンプの吐出口と前記混合機とを接続する配管に、圧力センサーを設置するとともに、圧力センサーの下流側に吐出バルブを設置し、この圧力センサーに充填完了圧力を設定して一定圧となるようにして、主剤と硬化剤との吐出量を一定とし、前記各充填供給口を通じて主剤用のショットポンプに充填した主剤と、硬化剤用のショットポンプに充填した硬化剤とを、主剤用のショットポンプと硬化剤用のショットポンプとに個別に設けた駆動モータの回転速度を制御して混合比率を任意に設定し、この設定した主剤と硬化剤とを前記各吐出口を通じて前記混合機に供給して混合させた後、この混合剤を吐出させることを特徴とする可変速型二液計量混合制御方法。
【請求項２】
主剤用のショットポンプに材料供給源から主剤を充填し、硬化剤用のショットポンプに材料供給源から硬化剤を充填し、駆動モータにより各ショットポンプを駆動させて所定の割合で主剤と硬化剤とを押出して混合機により混合させ、この混合剤を吐出させる可変速型二液計量混合装置において、
前記主剤用のショットポンプの側面下部側に主剤の充填供給口を設けるとともに上部側に主剤の吐出口を設け、前記硬化剤用のショットポンプの側面下部側に硬化剤の充填供給口を設けるとともに上部側に硬化剤の吐出口を設け、前記各ショットポンプの吐出口と前記混合機とを接続する配管に、圧力センサーを設置するとともに、圧力センサーの下流側に吐出バルブを設置し、この圧力センサーに充填完了圧力を設定して一定圧となるようにして、主剤と硬化剤との吐出量を一定とし、前記主剤用のショットポンプと硬化剤用のショットポンプとに、それぞれを駆動させる回転速度の制御可能な駆動モータを設置し、この駆動モータの回転速度を制御して主剤と硬化剤との混合比率を任意に設定するようにしたことを特徴とする可変速型二液計量混合装置。
【発明の詳細な説明】
【技術分野】
【０００１】
この発明は、可変速型二液計量混合制御方法及びその装置に係わり、更に詳しくはシーリング材等の主剤と硬化剤との混合比率を任意に設定することが出来る可変速型二液計量混合制御方法及びその装置に関するものである。
【背景技術】
【０００２】
従来、建築構造物等で使用される主剤と硬化剤と等から成るシーリング材は、使用時に主剤と硬化剤とを二液混合装置を用いて所定の割合で混合させた後に使用している（例えば、特許文献１参照）。
【０００３】
ところで、一般に使用されている二液計量混合装置は、主剤と硬化剤とを主剤用のショットポンプと硬化剤用のショットポンプとに各々充填し、一台の駆動モータにより同時に押し出して混合機により混合させた後、この混合剤を吐出させている。
【０００４】
然しながら、このような従来の二液計量混合装置では、材料の主剤と硬化剤との混合比率が固定されるため、自由に材料を選択できないと言う問題があり、また装置にあった材料開発しなければならないことから非常に限定されたものとなって、材料開発に時間がかかると言う問題があった。
【０００５】
更に各ショットポンプに、主剤と硬化剤とを充填した際、充填完了圧が一定圧にならないため、材料の吐出開始時の材料飛び出し量が異なるため比率不良が発生していた。また各ショットポンプに充填された材料が全て押し出せない現象（デッドストック）が発生し、エアー溜まり、材料硬化、材料分離が起きる等の不具合が発生していた。
【発明の開示】
【発明が解決しようとする課題】
【０００６】
この発明はかかる従来の問題点に着目し、主剤と硬化剤との混合比率を任意に設定することが出来るようにした可変速型二液計量混合制御方法及びその装置を提供することを目的とするものである。
【課題を解決するための手段】
【０００７】
上記目的を達成するため、この発明の可変速型二液計量混合制御方法は、主剤を主剤用のショットポンプに、硬化剤を硬化剤用のショットポンプに各々充填し、駆動モータにより前記各ショットポンプを駆動させて所定の割合で主剤と硬化剤とを押出して混合機により混合させた後、この混合剤を吐出させる可変速型二液計量混合制御方法において、前記主剤用のショットポンプの側面下部側に主剤の充填供給口を設けるとともに上部側に主剤の吐出口を設け、前記硬化剤用のショットポンプの側面下部側に硬化剤の充填供給口を設けるとともに上部側に硬化剤の吐出口を設け、前記各ショットポンプの吐出口と前記混合機とを接続する配管に、圧力センサーを設置するとともに、圧力センサーの下流側に吐出バルブを設置し、この圧力センサーに充填完了圧力を設定して一定圧となるようにして、主剤と硬化剤との吐出量を一定とし、前記各充填供給口を通じて主剤用のショットポンプに充填した主剤と、硬化剤用のショットポンプに充填した硬化剤とを、主剤用のショットポンプと硬化剤用のショットポンプとに個別に設けた駆動モータの回転速度を制御して混合比率を任意に設定し、この設定した主剤と硬化剤とを前記各吐出口を通じて前記混合機に供給して混合させた後、この混合剤を吐出させることを要旨とするものである。
【０００９】
また、この発明の可変速型二液計量混合装置は、主剤用のショットポンプに材料供給源から主剤を充填し、硬化剤用のショットポンプに材料供給源から硬化剤を充填し、駆動モータにより各ショットポンプを駆動させて所定の割合で主剤と硬化剤とを押出して混合機により混合させ、この混合剤を吐出させる可変速型二液計量混合装置において、前記主剤用のショットポンプの側面下部側に主剤の充填供給口を設けるとともに上部側に主剤の吐出口を設け、前記硬化剤用のショットポンプの側面下部側に硬化剤の充填供給口を設けるとともに上部側に硬化剤の吐出口を設け、前記各ショットポンプの吐出口と前記混合機とを接続する配管に、圧力センサーを設置するとともに、圧力センサーの下流側に吐出バルブを設置し、この圧力センサーに充填完了圧力を設定して一定圧となるようにして、主剤と硬化剤との吐出量を一定とし、前記主剤用のショットポンプと硬化剤用のショットポンプとに、それぞれを駆動させる回転速度の制御可能な駆動モータを設置し、この駆動モータの回転速度を制御して主剤と硬化剤との混合比率を任意に設定するようにしたことを要旨とするものである。
【００１１】
このように構成することで、主剤と硬化剤との混合比率を自由に設定することが出来ると共に、材料の吐出開始時の飛び出し量を一定圧に設定することが出来、更に各ショットポンプに対する材料の先入れ、先出しによりデッドストックを防止することが出来る。
【発明の効果】
【００１２】
この発明は、上記のように構成したので、以下のような種々の優れた効果を奏するものである。
（ａ）．一台の可変速型二液計量混合装置にて、主剤と硬化剤との混合比率を自由に設定することが出来るため、混合比率の異なる材料でも混合することが可能であり、混合比率の異なる装置を個々に持つことが無くコストを低減させることが出来、更に材料開発の時間短縮が可能であることから材料開発を容易に行うことが出来る。
（ｂ）．各ショットポンプに対する材料の充填完了圧を一定圧に設定可能であるため、飛び出し量の比率不良が無くなり、接着不良を防止することが出来る。
（ｃ）．デッドストックを無くすことが出来る事により、エアー溜まりが無くなり、正確な比率混合が可能となり、材料の硬化、分離を無くすことが出来、品質の向上を図ることが出来る。
【発明を実施するための最良の形態】
【００１３】
以下、添付図面に基づき、この発明の実施形態を説明する。
【００１４】
図１は、この発明の可変速型二液計量混合制御方法を実施するため装置全体の概略構成図を示し、１は主剤Ｗａの材料供給源（例えば、ペール缶等）、２は硬化剤Ｗｂの材料供給源（例えば、ペール缶等）、３は主剤用のショットポンプ、３ａは昇降シリンダー、４は硬化剤用のショットポンプ、４ａは昇降シリンダーを示し、前記主剤Ｗａの材料供給源１と主剤用のショットポンプ３及び硬化剤Ｗｂの材料供給源２と硬化剤用のショットポンプ４とは、圧力計５ａ，５ｂを備えた配管６ａ，６ｂを介して接続されている。
【００１５】
前記主剤用のショットポンプ３と硬化剤用のショットポンプ４とは、移動可能な架台７上に設置され、この主剤用のショットポンプ３と硬化剤用のショットポンプ４との下部側に主剤Ｗａと硬化剤Ｗｂとの充填供給口８ａ，８ｂを設け、この充填供給口８ａ，８ｂに前記配管６ａ，６ｂが接続をし、主剤用のショットポンプ３と硬化剤用のショットポンプ４との上部側には、主剤Ｗａと硬化剤Ｗｂとの吐出口９ａ，９ｂが設けてある。
【００１６】
また、主剤用のショットポンプ３と硬化剤用のショットポンプ４との吐出口９ａ，９ｂは、配管１０ａ，１０ｂを介してスタティックミキサー等の混合機１１に接続され、配管１０ａ，１０ｂには、圧力センサー１２及びエアーまたは電磁式のバルブ１３ａ，１３ｂを備えた混合部１４を設け、この混合部１４には、スタテックミキサー（またはダイナミックミキサー）等の混合機１１が取付けられている。
【００１７】
前記主剤用のショットポンプ３と硬化剤用のショットポンプ４は、図２〜図５に示すように、各ショットポンプ３及び４を駆動させる駆動モータ１６，１７が設置され、この駆動モータ１６，１７は、制御装置１８を介して回転速度を制御出来るように構成されている。即ち、制御装置１８により、駆動モータ１６，１７の回転速度を制御し、前記主剤用のショットポンプ３と硬化剤用のショットポンプ４とに充填された主剤Ｗａと硬化剤Ｗｂとの混合比率を任意に設定し得るように構成されている。
【００１８】
次に、上記のような装置により、可変速型二液計量混合制御方法について説明する。
【００１９】
材料供給源１，２から供給された主剤Ｗａと硬化剤Ｗｂとを、主剤用のショットポンプ３と硬化剤用のショットポンプ４との充填供給口８ａ，８ｂから各々充填し、各々に設けた駆動モータ１６，１７の回転速度を制御装置１８を介して制御しながら混合比率を任意に設定する。
【００２０】
そして、この設定した主剤Ｗａと硬化剤Ｗｂとを、各ショットポンプ３，４とバルブ１３ａ，１３ｂ間に設けた圧力センサー１２に充填完了圧力を設定して一定圧となるようにし、バルブ１３ａ，１３ｂを備えた混合部１４を介して主剤Ｗａと硬化剤Ｗｂとの吐出量を一定として混合機１１により混合させて吐出させる。
【００２１】
このような制御方法により、主剤Ｗａと硬化剤Ｗｂとを混合制御することにより、主剤Ｗａと硬化剤Ｗｂとの混合比率を自由に設定することが出来、これにより混合比率の異なる材料でも混合することが可能であり、また混合比率の異なる装置を個々に持つことが無くコストを低減させることが出来、更に材料開発の時間短縮が可能であることから材料開発を容易に行うことが出来るものである。
【００２２】
また、各ショットポンプ３，４に対する材料の充填完了圧を一定圧に設定出来るので、飛び出し量の比率不良が無くなり、接着不良を防止することが出来、更に、デッドストックを無くすことが出来る事により、エアー溜まりが無くなり、正確な比率混合が可能となり、材料の硬化、分離を無くすことが出来、品質の向上を図ることが出来るものである。
【図面の簡単な説明】
【００２３】
【図１】この発明の可変速型二液計量混合制御方法を実施するため装置全体の概略構成図である。
【図２】この発明を実施した二液計量混合装置の左側面図である。
【図３】図２の平面図である。
【図４】二液計量混合装置の正面図である。
【図５】この発明を実施した二液計量混合装置の右側面図である。
【符号の説明】
【００２４】
１  主剤の材料供給源                ２  硬化剤の材料供給源
３  主剤用のショットポンプ          ４  硬化剤用のショットポンプ
３ａ  昇降シリンダー                ４ａ  昇降シリンダー
５ａ，５ｂ  圧力計          ６ａ，６ｂ  配管
７  架台                    ８ａ，８ｂ  充填供給口
９ａ，９ｂ  吐出口
１０ａ，１０ｂ  配管              １１  混合機
１２  圧力センサー        １３ａ，１３ｂ  バルブ
１４  混合部
１６，１７  駆動モータ            １８  制御装置
Ｗａ  主剤                        Ｗｂ  硬化剤
【図１】
0004834961.tif 000002
【図２】
0004834961.tif 000003
【図３】
0004834961.tif 000004
【図４】
0004834961.tif 000005
【図５】
0004834961.tif 000006